【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
複数の第１色相領域を規定する複数の第１色相値を含む第１色成分情報を記憶する第１記憶手段、
前記複数の第１色相領域にそれぞれ対応する複数の第２色相領域を規定する複数の第２色相値を含む第２色成分情報を記憶する第２記憶手段、
撮影画像データを形成する複数の画素の各々の色相値である画素色相値を検出する色相検出手段、
前記色相検出手段によって検出された画素色相値が属する特定第１色相領域を規定する２つの第１色相値を前記第１記憶手段から読み出す第１色相読み出し手段、
前記特定第１色相領域に対応する特定第２色相領域を規定する２つの第２色相値を前記第２記憶手段から読み出す第２色相読み出し手段、および
前記色相検出手段によって検出された画素色相値を前記第１色相読み出し手段によって読み出された２つの第１色相値と前記第２色相読み出し手段によって読み出された２つの第２色相値とに基づいて補正する色相補正手段を備え、
前記第１記憶手段によって記憶された複数の第１色相値は、複数の代表色にそれぞれ対応する複数の第１代表色相値と複数の非代表色にそれぞれ対応する複数の第１非代表色相値とを含み、
前記第２記憶手段によって記憶された複数の第２色相値は、前記複数の第１代表色相値にそれぞれ対応する複数の第２代表色相値と前記複数の第１非代表色相値にそれぞれ対応する複数の第２非代表色相値とを含み、かつ数値が大きくなる順に配列され、
前記複数の代表色のいずれか１つを選択する選択手段、
前記選択手段によって選択された代表色に対応する第２代表色相値を前記複数の第２代表色相値の中から特定する第１色相特定手段、
前記第１色相特定手段によって特定された第２代表色相値に隣接する第２代表色相値を前記複数の第２代表色相値の中から特定する第２色相特定手段、
前記第１色相特定手段によって特定された第２代表色相値と前記第２色相特定手段によって特定された第２代表色相値とによって挟まれる数値を有する第２非代表色相値を前記複数の第２非代表色相値の中から特定する第３色相特定手段、
前記第１色相特定手段によって特定された第２代表色相値を変更する第１色相変更手段、および
前記第３色相特定手段によって特定された第２非代表色相値を前記第１色相特定手段によって特定された第２代表色相値と前記第２色相特定手段によって特定された第２代表色相値と前記第１色相変更手段の変更量とに基づいて変更する第２色相変更手段をさらに備える、ディジタルカメラ。
【請求項２】
前記第１色成分情報は前記複数の第１色相値にそれぞれ対応する複数の第１彩度値をさらに含み、
前記第２色成分情報は前記複数の第２色相値にそれぞれ対応する複数の第２彩度値をさらに含み、
前記撮影画像データを形成する複数の画素の各々の彩度値である画素彩度値を検出する彩度検出手段、
前記第１色相読み出し手段によって読み出された２つの第１色相値にそれぞれ対応する２つの第１彩度値を読み出す第１彩度読み出し手段、
前記第２色相読み出し手段によって読み出された２つの第２色相値にそれぞれ対応する２つの第２彩度値を読み出す第２彩度読み出し手段、および
前記彩度検出手段によって検出された画素彩度値を前記第１彩度読み出し手段によって読み出された２つの第１彩度値と前記第２彩度読み出し手段によって読み出された２つの第２彩度値とに基づいて補正する彩度補正手段をさらに備える、請求項１記載のディジタルカメラ。
【請求項３】
前記複数の第１彩度値は、複数の代表色にそれぞれ対応する複数の第１代表彩度値と複数の非代表色にそれぞれ対応する複数の第１非代表彩度値とを含み、
前記複数の第２彩度値は、前記複数の第１代表彩度値にそれぞれ対応する複数の第２代表彩度値と前記複数の第１非代表彩度値にそれぞれ対応する複数の第２非代表彩度値とを含み、
前記選択手段によって選択された代表色に対応する第２代表彩度値を変更する第１彩度変更手段、および
前記第３色相特定手段によって特定された第２非代表色相値に対応する第２非代表彩度値を前記第１色相特定手段によって特定された第２代表色相値と前記第２色相特定手段によって特定された第２代表色相値と前記第３色相特定手段によって特定された第２非代表色相値と前記第１彩度変更手段の変更量とに基づいて変更する第２彩度変更手段をさらに備える、請求項２記載のディジタルカメラ。
【請求項４】
前記複数の第２代表色相値および前記複数の第２非代表色相値のうち前記複数の第２代表色相値のみの変更を受け付ける受付画面を表示する受付画面表示手段をさらに備える、請求項１ないし３のいずれかに記載のディジタルカメラ。
【請求項５】
前記受付画面は少なくとも前記選択手段によって選択された代表色の色見本を含む、請求項４記載のディジタルカメラ。
【請求項６】
前記受付画面表示手段は前記複数の第２代表色相値を正規化状態で表示する、請求項４または５記載のディジタルカメラ。
【請求項７】
前記色相補正手段は前記撮影手段から出力された画像信号に対してリアルタイムで色相補正を施し、
前記色相補正手段による色相補正が施された画像信号に基づく画像をリアルタイムで表示する画像表示手段をさらに備える、請求項１ないし６のいずれかに記載のディジタルカメラ。
【手続補正２】
【補正対象書類名】明細書
【補正対象項目名】０００６
【補正方法】変更
【補正の内容】
【０００６】
【課題を解決するための手段】
この発明に従うディジタルカメラは、複数の第１色相領域を規定する複数の第１色相値を含む第１色成分情報を記憶する第１記憶手段、複数の第１色相領域にそれぞれ対応する複数の第２色相領域を規定する複数の第２色相値を含む第２色成分情報を記憶する第２記憶手段、撮影画像データを形成する複数の画素の各々の色相値である画素色相値を検出する色相検出手段、色相検出手段によって検出された画素色相値が属する特定第１色相領域を規定する２つの第１色相値を第１記憶手段から読み出す第１色相読み出し手段、特定第１色相領域に対応する特定第２色相領域を規定する２つの第２色相値を第２記憶手段から読み出す第２色相読み出し手段、および色相検出手段によって検出された画素色相値を第１色相読み出し手段によって読み出された２つの第１色相値と第２色相読み出し手段によって読み出された２つの第２色相値とに基づいて補正する色相補正手段を備え、第１記憶手段によって記憶された複数の第１色相値は、複数の代表色にそれぞれ対応する複数の第１代表色相値と複数の非代表色にそれぞれ対応する複数の第１非代表色相値とを含み、第２記憶手段によって記憶された複数の第２色相値は、複数の第１代表色相値にそれぞれ対応する複数の第２代表色相値と複数の第１非代表色相値にそれぞれ対応する複数の第２非代表色相値とを含み、かつ数値が大きくなる順に配列され、複数の代表色のいずれか１つを選択する選択手段、選択手段によって選択された代表色に対応する第２代表色相値を複数の第２代表色相値の中から特定する第１色相特定手段、第１色相特定手段によって特定された第２代表色相値に隣接する第２代表色相値を複数の第２代表色相値の中から特定する第２色相特定手段、第１色相特定手段によって特定された第２代表色相値と第２色相特定手段によって特定された第２代表色相値とによって挟まれる数値を有する第２非代表色相値を複数の第２非代表色相値の中から特定する第３色相特定手段、第１色相特定手段によって特定された第２代表色相値を変更する第１色相変更手段、および第３色相特定手段によって特定された第２非代表色相値を第１色相特定手段によって特定された第２代表色相値と第２色相特定手段によって特定された第２代表色相値と第１色相変更手段の変更量とに基づいて変更する第２色相変更手段をさらに備える。
【手続補正３】
【補正対象書類名】明細書
【補正対象項目名】０００７
【補正方法】変更
【補正の内容】
【０００７】
【作用】
第１記憶手段によって記憶される第１色成分情報は、複数の第１色相領域を規定する複数の第１色相値を含む。また、第２記憶手段によって記憶される第２色成分情報は、複数の第１色相領域にそれぞれ対応する複数の第２色相領域を規定する複数の第２色相値を含む。撮影画像データを形成する複数の画素の各々の色相値である画素色相値は、色相検出手段によって検出される。
第１色相読み出し手段は、色相検出手段によって検出された画素色相値が属する特定第１色相領域を規定する２つの第１色相値を第１記憶手段から読み出し、第２色相読み出し手段は、特定第１色相領域に対応する特定第２色相領域を規定する２つの第２色相値を第２記憶手段から読み出す。
色相検出手段によって検出された画素色相値は、第１色相読み出し手段によって読み出された２つの第１色相値と第２色相読み出し手段によって読み出された２つの第２色相値とに基づいて、色相補正手段によって補正される。
ここで、第１記憶手段によって記憶された複数の第１色相値は、複数の代表色にそれぞれ対応する複数の第１代表色相値と複数の非代表色にそれぞれ対応する複数の第１非代表色相値とを含む。また、第２記憶手段によって記憶された複数の第２色相値は、複数の第１代表色相値にそれぞれ対応する複数の第２代表色相値と複数の第１非代表色相値にそれぞれ対応する複数の第２非代表色相値とを含み、かつ数値が大きくなる順に配列される。
複数の代表色のいずれか１つが選択手段によって選択されると、第１色相特定手段は、選択された代表色に対応する第２代表色相値を複数の第２代表色相値の中から特定する。
第２色相特定手段は、第１色相特定手段によって特定された第２代表色相値に隣接する第２代表色相値を複数の第２代表色相値の中から特定し、第３色相特定手段は、第１色相特定手段によって特定された第２代表色相値と第２色相特定手段によって特定された第２代表色相値とによって挟まれる数値を有する第２非代表色相値を複数の第２非代表色相値の中から特定する。
第１色相特定手段によって特定された第２代表色相値が第１色相変更手段によって変更されると、第２色相変更手段は、第３色相特定手段によって特定された第２非代表色相値を、第１色相特定手段によって特定された第２代表色相値と第２色相特定手段によって特定された第２代表色相値と第１色相変更手段の変更量とに基づいて変更する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
複数の第２代表色相値および複数の第２非代表色相値のうち複数の第２代表色相値のみの変更を受け付ける受付画面を表示するようにすれば、変更指示の入力操作が容易になる。
【手続補正６】
【補正対象書類名】明細書
【補正対象項目名】００１０
【補正方法】変更
【補正の内容】
【００１０】
少なくとも選択手段によって選択された代表色の色見本を受付画面に含ませるようにすれば、変更指示に応じて色見本の色あいが変化するため、視覚による色調整が可能となる。
【手続補正７】
【補正対象書類名】明細書
【補正対象項目名】００１１
【補正方法】変更
【補正の内容】
【００１１】
また、複数の第２代表色相値を正規化状態で表示するようにすれば、簡単かつ正確な色調整が可能となる。
【手続補正８】
【補正対象書類名】明細書
【補正対象項目名】００１２
【補正方法】変更
【補正の内容】
【００１２】
撮影手段から出力された画像信号に対してリアルタイムで色相補正を実行し、色相補正が施された画像信号に基づく画像をリアルタイムで表示するようにすれば、表示画像の色調もまた変更指示に応答して変化する。このため、撮影された画像の色調がどのように変化するかを容易に把握することができ、操作性がさらに向上する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
【発明の効果】
この発明によれば、第２代表色相値を変更すると、第２非代表色相値も変更されるため、モニタのサイズや操作キーの数に制限があったり、オペレータが十分な知識を持っていなかったりしても、適切な色調整が可能となる。つまり、携帯型の一般消費者向けディジタルカメラにおける色調整時の操作性が向上する。